(57)【要約】【課題】ケーブル曲がり部の振れ幅を小さくするような状態で屈曲させてケーブル長のバラツキを吸収することが可能なケーブル余長吸収構造及びバスバーモジュールを提供する。【解決手段】バスバーモジュール２１は、複数の電池を含む電池集合体の隣り合う電池を直列に接続するための複数の導電性のバスバー２３と、このバスバー２３の収容固定先になるバスバー収容部３０を長手方向に複数並べて形成される絶縁性の樹脂プレート２７とを備えて構成される。樹脂プレート２７は、ケーブル余長吸収構造２８における構造体であって、この構造体としての樹脂プレート２７には、一対のケーブルクランプ３３、３４が設けられる。一対のケーブルクランプ３３、３４には、軸ずれ状態に配置される一対のケーブル保持部３８が形成される。【選択図】図２
2019003753.tif 000002
【特許請求の範囲】
【請求項１】
一つの構造体の一側部又は二つの構造体における同じ側に並んだ一側部に所定の間隔で配置される一対のケーブルクランプを備え、
該一対のケーブルクランプは、直線的に配索しようとするケーブルの経路上に配置されるケーブル保持部をそれぞれ有し、
該それぞれのケーブル保持部は、断面視で前記ケーブルの径よりも大きな保持空間を有し、且つ、前記それぞれのケーブル保持部は、一方の保持部中心軸に対し他方の保持部中心軸がずれるような軸ずれ状態に配置される
ことを特徴とするケーブル余長吸収構造。
【請求項２】
請求項１に記載のケーブル余長吸収構造において、
前記所定の間隔で配置される前記一対のケーブルクランプの間に前記ケーブルの垂れ下がりを防止する垂れ下がり防止部を更に備える
ことを特徴とするケーブル余長吸収構造。
【請求項３】
複数の電池を含む電池集合体の隣り合う前記電池を直列に接続するための複数の導電性のバスバーと、
該バスバーの収容固定先になるバスバー収容部を長手方向に複数並べて形成される絶縁性の樹脂プレートとを備え、
該樹脂プレートを請求項１又は２に記載のケーブル余長吸収構造における構造体とするとともに、該構造体としての前記樹脂プレートには、前記ケーブル余長吸収構造において軸ずれ状態に配置される一対のケーブル保持部が形成された一対のケーブルクランプを設ける
ことを特徴とするバスバーモジュール。
【発明の詳細な説明】
【技術分野】
【０００１】
本発明は、ケーブル余長吸収構造と、このケーブル余長吸収構造を含むバスバーモジュールとに関する。
【背景技術】
【０００２】
図１０（ａ）において、引用符号１は、例えば下記特許文献１に開示された従来例のバスバーモジュールを示す（一部のみ示す）。このバスバーモジュール１は、ハイブリッド自動車や電気自動車に搭載される電池集合体に組み付けられる。バスバームジュール１における引用符号２は、導電性を有するバスバーを示す。また、引用符号３は、バスバー２に接触する電圧検出端子を示す。また、引用符号４は、バスバー２及び電圧検出端子３を収容固定するバスバー収容部を示す。また、引用符号５は、バスバー収容部４を長手方向に複数並べて形成される絶縁性の樹脂プレートを示す。この樹脂プレート５には、電圧検出端子３に接続された低電圧の電線を収容するための電線収容部６と、高電圧のケーブル７を上記長手方向に沿って配索するためのケーブルクランプ８とが形成される。
【先行技術文献】
【特許文献】
【０００３】
【特許文献１】特開２０１４−２３３１５９号公報
【発明の概要】
【発明が解決しようとする課題】
【０００４】
上記従来技術にあっては、図１０（ａ）中の一対のケーブルクランプ８が引用符号Ｌ３で示す軸に同軸になるように配置されることから、また、ケーブル７の余長を吸収するための構造をバスバーモジュール１が特段有してないことから、ケーブル７の長さにバラツキがあった場合には、図１０（ｂ）に示すような振れ幅の大きい意図しないケーブル曲がり部９が発生してしまうという問題点を有する。この振れ幅の大きいケーブル曲がり部９がバスバー２の側や、電池集合体の周辺機器の側に突出してしまうと、干渉が生じて不具合を引き起こしてしまうという虞がある。
【０００５】
本発明は、上記した事情に鑑みてなされたもので、ケーブル曲がり部の振れ幅を小さくするような状態で屈曲させてケーブル長のバラツキを吸収することが可能な、ケーブル余長吸収構造及びバスバーモジュールの提供を課題とする。
【課題を解決するための手段】
【０００６】
上記課題を解決するためになされた請求項１に記載の本発明のケーブル余長吸収構造は、一つの構造体の一側部又は二つの構造体における同じ側に並んだ一側部に所定の間隔で配置される一対のケーブルクランプを備え、該一対のケーブルクランプは、直線的に配索しようとするケーブルの経路上に配置されるケーブル保持部をそれぞれ有し、該それぞれのケーブル保持部は、断面視で前記ケーブルの径よりも大きな保持空間を有し、且つ、前記それぞれのケーブル保持部は、一方の保持部中心軸に対し他方の保持部中心軸がずれるような軸ずれ状態に配置されることを特徴とする。
【０００７】
このような請求項１の特徴を有する本発明によれば、一対のケーブルクランプにおけるそれぞれのケーブル保持部を軸ずれ状態に配置することから、一対のケーブルクランプ間にケーブルの撓み（ケーブルの経路が若干斜めになるような状態）を生じさせるようにすることができる。そして、ケーブル長さにバラツキがあった場合には、上記撓みで容易にケーブルを略Ｓ字状に曲げることができ、以てケーブル曲がり部の振れ幅を従来例よりも小さくすることができる。振れ幅を小さくすることができれば、ケーブルによる干渉を防止することができる。本発明のケーブル余長吸収構造は、略Ｓ字状のケーブル曲がり部の形成により、ケーブル長のバラツキを吸収することができる。
【０００８】
請求項２に記載の本発明は、請求項１に記載のケーブル余長吸収構造において、前記所定の間隔で配置される前記一対のケーブルクランプの間に前記ケーブルの垂れ下がりを防止する垂れ下がり防止部を更に備えることを特徴とする。
【０００９】
このような請求項２の特徴を有する本発明によれば、一対のケーブルクランプの間においてケーブルの垂れ下がりを防止することができ、以てバラツキ吸収の状態を安定させることができる。
【００１０】
また、上記課題を解決するためになされた請求項３に記載の本発明のバスバーモジュールは、複数の電池を含む電池集合体の隣り合う前記電池を直列に接続するための複数の導電性のバスバーと、該バスバーの収容固定先になるバスバー収容部を長手方向に複数並べて形成される絶縁性の樹脂プレートとを備え、該樹脂プレートを請求項１又は２に記載のケーブル余長吸収構造における構造体とするとともに、該構造体としての前記樹脂プレートには、前記ケーブル余長吸収構造において軸ずれ状態に配置される一対のケーブル保持部が形成された一対のケーブルクランプを設けることを特徴とする。
【００１１】
このような請求項３の特徴を有する本発明によれば、請求項１又は２に記載のケーブル余長吸収構造を含むことから、バスバーモジュールにおいてケーブル長のバラツキを吸収することができる。
【発明の効果】
【００１２】
本発明のケーブル余長吸収構造及びバスバーモジュールによれば、ケーブル曲がり部の振れ幅を小さくするような状態で屈曲させることができることから、ケーブル長のバラツキを良好に吸収することができるという効果を奏する。また、ケーブルを決まった位置で屈曲させることができることから、ケーブル長のバラツキを安定して吸収することができるという効果も奏する。
【図面の簡単な説明】
【００１３】
【図１】本発明のケーブル余長吸収構造及びバスバーモジュールの一実施形態を示す平面図である。
【図２】図１のケーブル余長吸収構造を示す拡大図である。
【図３】図２に対しケーブル長のバラツキを吸収した状態を示す拡大図である。
【図４】バスバーモジュールの樹脂プレートを示す平面図である。
【図５】ケーブル余長吸収構造を示す斜視図（クランプ開、ケーブルなし）である。
【図６】ケーブル余長吸収構造を示す斜視図（クランプ開、ケーブル有り）である。
【図７】ケーブル余長吸収構造を示す斜視図（クランプ閉）である。
【図８】ケーブル余長吸収構造を示す斜視図（クランプ閉、バラツキ吸収状態）である。
【図９】一対のケーブルクランプの配置例を示す図であり、（ａ）は一つの構造体の一側部に所定の間隔で配置した例を示す模式図、（ｂ）は二つの構造体における同じ側に並んだ一側部に所定の間隔で配置した例を示す模式図である。
【図１０】従来例のバスバーモジュールの一部を示す平面図である。
【発明を実施するための形態】
【００１４】
バスバーモジュールは、複数の電池を含む電池集合体の隣り合う電池を直列に接続するための複数の導電性のバスバーと、このバスバーの収容固定先になるバスバー収容部を長手方向に複数並べて形成される絶縁性の樹脂プレートとを備えて構成される。樹脂プレートは、ケーブル余長吸収構造における構造体であって、この構造体としての樹脂プレートには、一対のケーブルクランプが設けられる。一対のケーブルクランプには、軸ずれ状態に配置される一対のケーブル保持部が形成される。
【実施例】
【００１５】
以下、図面を参照しながら実施例を説明する。図１は本発明のケーブル余長吸収構造及びバスバーモジュールの一実施形態を示す平面図である。また、図２は図１のケーブル余長吸収構造の拡大図、図３は図２に対しケーブル長のバラツキを吸収した状態の拡大図、図４は樹脂プレートの平面図である。また、図５〜図８はケーブル余長吸収構造の斜視図、図９は一対のケーブルクランプの配置例を示す図である。
【００１６】
＜バスバーモジュール２１について＞
図１において、バスバーモジュール２１は、ハイブリッド自動車や電気自動車に搭載される電池集合体２２に組み付けられるものであって、複数のバスバー２３と、複数の電圧検出端子２４と、高電圧のケーブル２５と、低電圧の複数本の電線２６（図６参照）と、樹脂プレート２７等とを備えて構成される。バスバーモジュール２１は、樹脂プレート２７にケーブル余長吸収構造２８を有する点に特徴を有する。
【００１７】
＜バスバー２３及び電圧検出端子２４について＞
図１において、バスバー２３は、電池集合体２２の隣り合う電池を直列に接続するために備えられる。バスバー２３は、導電性を有する金属板をプレス加工することにより形成される。電圧検出端子２４は、電気接触部と電線接続部とを有し、電気接触部がバスバー２３に重ねられて接触し合った状態で電池に接続される。電圧検出端子２４は、導電性を有する薄い金属板をプレス加工することにより形成される。電圧検出端子２４の電線接続部には、電線２６の端末が接続される。電圧検出端子２４は、電線２６を介して電子制御ユニットに接続される。バスバー２３及び電圧検出端子２４は、本実施例において従来例と同じものが採用される。
【００１８】
＜ケーブル２５及び電線２６について＞
図１及び図６において、ケーブル２５は、導電性を有する導体（芯線）と、この導体を被覆する絶縁性の絶縁体（絶縁被覆）とを備えて構成される。ケーブル２５は、太物の公知の電線であって、コシがあるものの撓み可能となる可撓性を有する。ケーブル２５は、本実施例において、樹脂プレート２７の短手側部２９（一側部）に沿って配索される。電線２６は、公知の細物電線であって、導体と絶縁体とを有する。電線２６は、上記の如く電圧検出端子２４の電線接続部に接続されて樹脂プレート２７に配索される。電線２６の他端は、上記の如く電子制御ユニットに接続される。ケーブル２５及び電線２６は、本実施例において従来例と同じものが採用される。尚、「ケーブル２５」を、「電線２５」や「太物電線２５」と読み替えてもよいものとする（読み替えた場合は、発明の名称を変更する必要がある）。
【００１９】
＜樹脂プレート２７について＞
図１及び図４において、樹脂プレート２７は、電池集合体２２の例えば上面等（電極がある面）に組み付けられる比較的大きな絶縁性の樹脂成形品であって、複数のバスバー収容部３０と、複数の電線収容部３１と、複数のブリッジ部３２と、一対のケーブルクランプ３３、３４と、垂れ下がり防止部３５とを有する。樹脂プレート２７は、本実施例において、特許請求の範囲に記載された「構造体」に相当する。
【００２０】
複数のバスバー収容部３０は、樹脂プレート２７の長手方向に沿って並ぶように配置される。複数のバスバー収容部３０には、それぞれバスバー２３及び電圧検出端子２４が収容固定される。複数の電線収容部３１は、電圧検出端子２４に接続された電線２６の収容部分として形成される。複数の電線収容部３１は、それぞれ収容部本体３６と、蓋部３７とを有する。尚、電線２６の配索経路は、電線収容部３１を介して樹脂プレート２７の短手側部２９（一側部）の側からケーブルクランプ３３の側に向きを変えて電子制御ユニットの側に引き出されるような経路になるものとする。樹脂プレート２７における以上の説明部分は、本実施例において従来例と基本的に同じ構造が採用される。
【００２１】
複数のブリッジ部３２は、樹脂プレート２７の長手方向に沿って並ぶ複数のバスバー収容部３０の列を連結する部分として形成される。このような複数のブリッジ部３２のうち、短手側部２９（一側部）の位置のブリッジ部３２には、電線２６の配索部分と、後述する垂れ下がり防止部３５とが形成される。また、このブリッジ部３２の上方には、ケーブル２５が配索される。
【００２２】
＜一対のケーブルクランプ３３、３４及びケーブル余長吸収構造２８について＞
図１ないし図８において、一対のケーブルクランプ３３、３４は、上記短手側部２９（一側部）に沿ってケーブル２５を配索する際のケーブル保持部分として用いられる。一対のケーブルクランプ３３、３４は、これらが所定の間隔をあけて配置される。本実施例においては、複数のバスバー収容部３０の並び位置（列）に概略合うように配置される（一例であるものとする。ケーブル２５を後述する略Ｓ字状に曲げることができる位置に配置される）。一対のケーブルクランプ３３、３４は、ケーブル余長吸収構造２８としての機能を有する。ケーブル余長吸収構造２８とは、ケーブル２５を決まった位置で屈曲させてケーブル長のバラツキを吸収することができるような構造、また、後述するケーブル曲がり部４１の振れ幅を小さな状態で屈曲させてケーブル長のバラツキを吸収することができるような構造のことである。
【００２３】
一対のケーブルクランプ３３、３４は、直線的に配索しようとするケーブル２５の経路上に配置されるケーブル保持部３８をそれぞれ有する。それぞれのケーブル保持部３８は、断面視でケーブル２５の径よりも大きな保持空間３９を有するように形成される。別な言い方をすれば、ケーブル２５に遊びを持たせた状態で外嵌することができるような部分に形成される。それぞれのケーブル保持部３８は、ケーブルクランプ３３側の保持部中心軸Ｌ１に対しケーブルクランプ３４側の保持部中心軸Ｌ２が寸法Ｇの分だけ（図４参照）ずれるような軸ずれ状態に配置される。
【００２４】
尚、寸法Ｇの分だけの「ずれ」とは、一対のケーブルクランプ３３、３４間に図２に示すようなケーブル２５の撓み４０（ケーブル２５の経路が若干斜めになるような状態）を生じさせることができる「ずれ」であるものとする（寸法誤差のような「微小なずれ」でなく、積極的にずらした「ずれ」であるものとする）。
【００２５】
＜垂れ下がり防止部３５について＞
図７において、垂れ下がり防止部３５は、一対のケーブルクランプ３３、３４間でケーブル２５が垂れ下がらないようにする支え部分として形成される。垂れ下がり防止部３５は、本実施例において、この内部に電線２６が通過するような形状部分にも形成される。
【００２６】
＜ケーブル２５の配索について＞
図５において、一対のケーブルクランプ３３、３４をそれぞれ開いた状態にし、ここに図６に示すように電線２６及びケーブル２５を配索する。そして、図７に示すように一対のケーブルクランプ３３、３４を閉じると配索が完了する。
【００２７】
＜ケーブル余長吸収構造２８の作用について＞
図２及び図７において、ケーブル２５は、一対のケーブルクランプ３３、３４間で経路が若干斜めになるような状態の撓み４０が生じる。このような撓み４０が生じるような状態であれば、ケーブル２５の長さにバラツキがあった場合に、図３及び図８の矢印で示すような移動によって容易にケーブル２５を略Ｓ字状に曲げることができる。すなわち、略Ｓ字状のケーブル曲がり部４１を形成することができる。ケーブル曲がり部４１は、略Ｓ字状の曲げ部分であることから、従来例のような一方に大きく山なりに突出するケーブル曲がり部９（図１０（ｂ）参照）と比べて振れ幅を小さくすることができる。振れ幅を小さくすることができれば、ケーブル２５による干渉を防止することができる。ケーブル余長吸収構造２８は、略Ｓ字状のケーブル曲がり部４１の形成により、ケーブル長のバラツキを吸収することができる。
【００２８】
＜ケーブル余長吸収構造２８の効果について＞
以上、図１ないし図８を参照しながら説明してきたように、本発明の一実施形態であるケーブル余長吸収構造２８によれば、ケーブル曲がり部４１の振れ幅を小さくするような状態で屈曲させることができることから、ケーブル長のバラツキを良好に吸収することができるという効果を奏する。また、ケーブル２５を決まった位置で屈曲させることができることから、ケーブル長のバラツキを安定して吸収することができるという効果も奏する。
【００２９】
＜一対のケーブルクランプ３３、３４の配置の変形例について＞
図９（ａ）において、一対のケーブルクランプ３３、３４は、それぞれのケーブル保持部３８が軸ずれ状態に配置される。一対のケーブルクランプ３３、３４は、ここでは一つの構造体４２の一側部４３に所定の間隔で配置される。一つの構造体４２の例としては、車両に搭載される各種機器（ユニット）や部材が挙げられる。具体的な例としては、車両に搭載される電気接続箱やパネル部材が挙げられる。尚、一つの構造体４２を上記樹脂プレート２７とし、一側部４３を樹脂プレート２７の長手方向の側部とすることも可能である。
【００３０】
図９（ｂ）において、一対のケーブルクランプ３３、３４は、それぞれのケーブル保持部３８が軸ずれ状態に配置される。一対のケーブルクランプ３３、３４は、ここでは二つの構造体４４の一側部４５に所定の間隔で配置される。二つの構造体４４の例としては、上記樹脂プレート２７が組み付けられた電池集合体２２が二つある場合などである。
【００３１】
本発明は本発明の主旨を変えない範囲で種々変更実施可能なことは勿論である。
【符号の説明】
【００３２】
２１…バスバーモジュール、  ２２…電池集合体、  ２３…バスバー、  ２４…電圧検出端子、  ２５…ケーブル、  ２６…電線、  ２７…樹脂プレート（構造体）、  ２８…ケーブル余長吸収構造、  ２９…短手側部（一側部）、  ３０…バスバー収容部、  ３１…電線収容部、  ３２…ブリッジ部、  ３３、３４…ケーブルクランプ、  ３５…垂れ下がり防止部、  ３６…収容部本体、  ３７…蓋部、  ３８…ケーブル保持部、  ３９…保持空間、  ４０…撓み、  ４１…ケーブル曲がり部、  ４２、４４…構造体、  ４３、４５…一側部
【図１】
2019003753.tif 000003
【図２】
2019003753.tif 000004
【図３】
2019003753.tif 000005
【図４】
2019003753.tif 000006
【図５】
2019003753.tif 000007
【図６】
2019003753.tif 000008
【図７】
2019003753.tif 000009
【図８】
2019003753.tif 000010
【図９】
2019003753.tif 000011
【図１０】
2019003753.tif 000012